(57)【要約】【課題】洗濯物の量が多い場合でも、洗濯の仕上がりに優れた洗濯機を提供する。【解決手段】洗濯兼脱水槽２内の底部に回転自在に設けた回転翼４、洗濯兼脱水槽２及び回転翼４を回転駆動するモータ１２と、洗濯兼脱水槽２内の側壁に設けた揚水路１３と、回転翼４の下方に設けられ洗濯兼脱水槽２内の洗濯液を揚水路１３へと導く揚水翼５と、揚水翼５の回転速度を回転翼４と同方向に速める増速手段３０とを備え、揚水翼５の外周部を回転翼４外周部と洗濯兼脱水槽２の間に配設するとともに、揚水翼５の外周部上端を回転翼４の外周縁部より上方へ突出させたことによって、洗濯物が増えた場合においても、洗濯兼脱水槽２中の心部に存在する衣類の回転速度に対して洗濯兼脱水槽２周縁部に存在する衣類の回転速度の低下を抑え、仕上がりの優れた洗濯機とすることが可能となる。【選択図】図１
2010094248.tif 000002
【特許請求の範囲】
【請求項１】
水受け槽と、前記水受け槽内に回転可能に設けられた洗濯兼脱水槽と、前記洗濯兼脱水槽内の底部に回転自在に設けた回転翼と、前記洗濯兼脱水槽及び前記回転翼を回転駆動するモータと、前記洗濯兼脱水槽内の側壁に設けた揚水路と、前記回転翼の下方に設けられ前記洗濯兼脱水槽内の洗濯液を前記洗濯兼脱水槽内の底部から前記揚水路へと導く揚水翼と、前記揚水翼の回転速度を前記回転翼の回転速度よりも速める増速手段とを備え、前記モータの駆動軸に前記回転翼を結合するとともに、増速手段を介して前記モータの駆動軸の回転を揚水翼に伝えるように構成し、前記揚水翼の外周部を前記回転翼外周部と前記洗濯兼脱水槽の間に配設するとともに、前記揚水翼の外周部上端を前記回転翼の外周縁部より上方へ突出させた洗濯機。
【請求項２】
回転翼と洗濯兼脱水槽の間に突出した外周部を有する揚水翼は、外周部に複数の突起を設けた請求項１記載の洗濯機。
【請求項３】
揚水翼は、外周部で洗濯兼脱水槽の壁面の一部を構成するようにした請求項１または２に記載の洗濯機。
【発明の詳細な説明】
【技術分野】
【０００１】
本発明は、洗濯水を洗濯兼脱水槽と水受け槽間に循環させて衣類を洗う回転翼方式の洗濯機あるいは乾燥機能を有する洗濯乾燥機に関するものである。
【背景技術】
【０００２】
近年、地球環境保護が大変重要な課題となっている。省資源もその取り組みの重要な一つのテーマであり、洗濯機の分野においては節水や洗剤使用量の低減が積極的になされている。洗濯水量や洗剤量を少なくすると、洗濯物への洗濯液の浸透がしにくくなったり、洗剤濃度が低くなることで洗浄性能が低下するため、洗濯槽内壁の一部に水路形成用カバーを設けて洗濯槽との間に水路を形成し、回転翼下部の羽根によるポンプ作用により洗濯槽の下側に存在する洗濯液を、該水路を通して洗濯槽の上部まで導いた後、洗濯槽内部に向けて形成された吐出口から洗濯液を注ぎ、洗濯液や洗剤が少ない場合においても洗浄性能を向上させることができるようになっている。
【０００３】
また、洗濯物に向かって洗濯槽の上部から洗濯液を注ぐ効果だけではなく、洗濯液を循環させることによって洗濯液と洗剤がよく混ざり、洗浄ムラの少ない洗濯ができている。
【０００４】
従来、図７で示すとおり、回転翼とポンプ作用を有する揚水翼を同軸で別々に設け、揚水翼の回転を遅延して回転翼の回転に伝える伝動手段を有し、回転翼の回転による衣類の傷みを低減し、且つ揚水翼の回転を抑えることなく洗濯液を洗濯物に注ぐことができるようにしたものも示されている（例えば、特許文献１参照）。
【特許文献１】特開２００６−２２３６３８号公報
【発明の開示】
【発明が解決しようとする課題】
【０００５】
しかしながら、このような従来の洗濯機では、洗濯物が増えて洗濯兼脱水槽内全体に広がった際に、洗濯兼脱水槽底面に配設された回転翼を下方へと押し付けるだけではなく、洗濯兼脱水槽壁面に接触している衣類による接触抵抗によって、回転翼の回転に追随しない衣類が現れ、衣類の移動速度の違いによって単独の衣類内あるいは複数の衣類間でのからみや伸び、ねじれといった現象が起こり、洗濯の仕上がりが悪くなるといった課題が存在した。
【０００６】
また、同じ理由によって、回転翼を攪拌するためのモータに負荷が多くかかることで、攪拌力自身が不足し、洗浄能力が低下するといった課題も存在した。
【０００７】
本発明は上記課題を解決するもので、洗濯物の量が増えた際にも、衣類の洗濯槽内での攪拌速度の低下を抑え、洗浄性能を保ち、仕上がりの優れた洗濯機とすることを目的とする。
【課題を解決するための手段】
【０００８】
前記従来の課題を解決するために、本発明の洗濯機は、洗濯兼脱水槽内の底部に回転自在に設けた回転翼と、前記洗濯兼脱水槽及び前記回転翼を回転駆動するモータと、前記洗濯兼脱水槽内の側壁に設けた揚水路と、前記回転翼の下方に設けられ前記洗濯兼脱水槽内の洗濯液を前記洗濯兼脱水槽内の底部から前記揚水路へと導く揚水翼と、前記揚水翼の回転速度を前記回転翼と同方向に速める増速手段とを備え、前記揚水翼の外周部を前記回転翼外周部と前記洗濯兼脱水槽の間に配設するとともに、前記揚水翼の外周部上端を前記回転翼の外周縁部より上方へ突出させたことによって、洗濯物が増えた場合においても、洗
濯兼脱水槽中心部に存在する衣類の回転速度に対して洗濯兼脱水槽周縁部に存在する衣類の回転速度の低下を抑え、仕上がりの優れた洗濯機とすることが可能となる。
【発明の効果】
【０００９】
本発明によれば、衣類のからみや伸び・ねじれが少ない仕上がりの優れた洗濯機を提供することが可能となる。
【発明を実施するための最良の形態】
【００１０】
第１の発明は、水受け槽と、前記水受け槽内に回転可能に設けられた洗濯兼脱水槽と、前記洗濯兼脱水槽内の底部に回転自在に設けた回転翼と、前記洗濯兼脱水槽及び前記回転翼を回転駆動するモータと、前記洗濯兼脱水槽内の側壁に設けた揚水路と、前記回転翼の下方に設けられ前記洗濯兼脱水槽内の洗濯液を前記洗濯兼脱水槽内の底部から前記揚水路へと導く揚水翼と、前記揚水翼の回転速度を前記回転翼の回転速度よりも速める増速手段とを備え、前記揚水翼の外周部を前記回転翼外周部と前記洗濯兼脱水槽の間に配設するとともに、前記揚水翼の外周部上端を前記回転翼の外周縁部より上方へ突出させたものであり、これにより、洗濯物の量が増え、洗濯兼脱水槽の壁面に密着した衣類が存在しても、洗濯兼脱水槽の底面に配設されている回転翼の回転よりも高速で回転する前記揚水翼の突出した外周部によって壁面から動かされることで衣類の回転遅れが改善され、洗濯物のからまりや伸び、ねじれが少ない仕上がりの優れた洗濯機を提供することができる。
【００１１】
第２の発明は、回転翼と洗濯兼脱水槽の間に突出した外周部を有する揚水翼は、外周部に複数の突起を設けたものであり、これにより、洗濯衣類と接触した際に衣類の重みで滑る確立が減り、衣類を揚水翼の回転と共に容易に回転させることができる。
【００１２】
第３の発明は、揚水翼は、外周部で洗濯兼脱水槽の壁面の一部を構成するようにしたものであり、これにより、洗濯兼脱水槽内壁に密着した洗濯物を、洗濯兼脱水槽の底面に配設されている回転翼の回転よりも高速で回転する前記揚水翼の外周部によって壁面から動かされることで衣類の回転遅れが改善され、洗濯物のからまりや伸び、ねじれが少ない仕上がりの優れた洗濯機とすることができる。
【００１３】
以下本発明の実施の形態について、図面を参照しながら説明する。なお、本実施の形態によって本発明が限定されるものではない。
【００１４】
（実施の形態１）
本発明の実施の形態１を図１〜図５に基づいて説明する。図１は、本実施の形態１における洗濯機の概略縦断面図である。
【００１５】
図中、１は水受け槽、２は洗濯兼脱水槽、３は回転バランサ、４は回転翼、５は揚水翼、６は太陽歯車、７は遊星歯車、８は外輪歯車、９は駆動軸、１０は減速手段、１１はモータ駆動軸、１２は駆動モータ、１３は揚水路、１４は入水口、１５は吐出口、１６は吸水口、１７は洗濯物である。以下に本実施の形態における動作を説明する。
【００１６】
図１に示されるように縦型の洗濯機は水受け槽１内に回転自在に洗濯兼脱水槽２が内包され、洗濯時にはその内部に洗濯物１７が上部より投入される。洗濯兼脱水槽２の底面部には回転自在に回転翼４が配設されており、洗濯物の投入によって回転翼４の上面に堆積されていくことになる。洗濯開始時には回転翼４が数回回転し、投入された衣類の量を検出し適切な水が数段階に分けて注水される。
【００１７】
また、図２本発明の実施の形態１における回転翼部を示す拡大縦断面図及び上面図を表している。図中、１８は揚水翼における外縁部に形成された突出部であり、１９は循環水
を送り出すための揚水翼５下面に設けられた下羽根を表している。図２下方の回転翼部を示す上面図にあるように、上方から観ると回転翼４が揚水翼５外縁部の突出部の内部に組み込まれた形態となっている。
【００１８】
図３は実施の形態１における図２中に示された増速手段３０のＡ−Ａ断面における構造が示されている。図中６は、回転翼を駆動するための駆動軸９と軸受け部２０を介して嵌め込まれ固定された太陽歯車、７は太陽歯車６の周囲を回転する遊星歯車、８は遊星歯車７の回転運動が伝動される揚水翼５の上面に形成された外輪歯車である。太陽歯車６と外輪歯車８の歯数の比率によって回転翼４に対する揚水翼５の回転速度の増速比を調整することができる。ここで、遊星歯車７の個数は特に限定されるものではない。
【００１９】
揚水翼５が回転翼４よりも増速手段３０によって速い回転速度をもつことで、下羽根１９の回転による循環水量を回転翼４の回転数が低い場合でも増やすことができるため、洗濯物を傷めずに洗浄液を早く均一に洗濯物に吐出することが可能となり洗浄性能に優れた洗濯機とすることができる。
【００２０】
駆動力の伝達ルートとしては、水受け槽１底面に固定された駆動モータ１２の動力は、減速手段１０を介して同軸の２軸に別れて、外側の洗濯兼脱水槽２を回転させるモータ駆動軸１１と、内側の洗濯兼脱水槽２内に突出させ、回転翼４を回転させるための駆動軸９とに伝えられる。回転翼４下面には揚水翼５上面に形成された外輪歯車８とかみ合う遊星歯車７が複数個、各々回転自在に設けられ、さらにこの遊星歯車７は軸受け部２０に固定された太陽歯車６の周囲をかみ合いながら回転する構成となっている。
【００２１】
図４は、本発明の実施の形態１における回転翼部の別構成案の一例を示す部分縦断面図及びその上面図を表している。図中、２１は揚水翼５の上面外縁部に設けられた突出部１８上に所定の距離で交互に配設された凸型構造体である。形状的に限定されるものではなく、数も限定されるものではない。さらには、凸型構造体２１自身が揚水翼５に固定された状態であっても回転する等、可動するものであっても問題ない。
【００２２】
さらに、図５は本発明の実施の形態１における回転翼部の別構成案の一例を示す部分断面図及びその上面図を表している。図中２２は揚水翼５の上面外縁部に設けられた突出部１８上に所定の距離で交互に配設された球状の突起物である。図４及び図５において、回転翼４縁面部との高さの関係としては揚水翼５の突出部の高さが前記回転翼４縁面部の高さより高くても良いし、前記突出部１８上に設けられた凸型構造体２１や球状突起物２２の上部が回転翼４縁面部より高くても問題はない。
【００２３】
揚水翼５の上面外縁部に設けられた突出部１８上に形成された凸型構造体２１や球状突起物２２によってさらに衣類が捕捉しやすくなり、揚水翼５の回転と共に洗濯兼脱水槽２の内面近傍の衣類を積極的に動かすことが可能となり、洗濯物が多い場合でも衣類攪拌時の部分的な回転遅れや衣類どうしの動きの差を小さくすることができ、衣類同士のからみや伸び・ねじれといった現象が軽減され洗濯の仕上がりに優れた洗濯機とすることができる。
【００２４】
また、揚水翼５が回転翼４よりも増速手段３０によって速い回転速度をもつことで、下羽根１９の回転による循環水量を回転翼４の回転数が低い場合でも増やすことができるため、洗濯物を傷めずに洗浄液を早く均一に洗濯物に吐出することが可能となり洗浄性能に優れた洗濯機とすることができる。
【００２５】
回転翼の下方に揚水翼が分離して設けられ、かつ揚水翼の外周部上端が回転翼外周と洗濯兼脱水槽の間に突出した構成を採り、駆動モータにて駆動する回転翼の機械エネルギー
を、増速手段を介して回転翼と同方向に揚水翼の回転速度を速めることで、洗濯量が増え洗濯兼脱水槽の壁面と直接接触し回転翼の動きに追従できない洗濯物も前記突出した揚水翼の外周部の回転と共に攪拌され、衣類のからみや伸び・ねじれが少ない仕上がりの優れた洗濯機を提供することが可能となる。
【００２６】
また、揚水翼が回転翼の回転速度よりも増速手段によって早くなることより、回転翼の回転速度が遅くても揚水翼の回転による循環水量は増加し、低水量や少量の洗濯時においても衣類を傷めない洗濯機を提供することが可能となる。
【００２７】
さらには、回転翼の外周部と洗濯兼脱水槽の間に揚水翼の外周部が突出していることにより、回転翼と揚水翼の回転状況が同時に把握でき、機器の動作確認が容易な保守点検がしやすい洗濯機を提供することが可能となる。
【００２８】
また本発明の洗濯機は、回転翼と洗濯兼脱水槽の間に突出した外周部を有する揚水翼が、周縁外周部に複数の突起を設けた構造となっている洗濯機とした。これによって、洗濯兼脱水槽外縁部に存在する洗濯衣類の捕捉を滑る事無く確実に実施することができ、洗濯衣類が増えた場合においても、洗濯兼脱水槽中心部に存在する衣類の回転速度に対する周縁部に存在する衣類の回転速度の低下を抑え、仕上がりの優れた洗濯機とすることが可能となる。
【００２９】
また本発明の洗濯機は、揚水翼が外周部で洗濯兼脱水槽の壁面の一部を構成する洗濯機とした。これによって、洗濯物の量が増えた場合でも、洗濯兼脱水槽と直接密着している衣類を回転翼の動きと同方向に積極的に動かすことができ、洗濯兼脱水槽中心部に存在する衣類の回転速度に対する周縁部に存在する衣類の回転速度の低下を抑え、仕上がりの優れた洗濯機とすることが可能となる。
【００３０】
また本発明の洗濯機は、モータの駆動軸に回転翼を直接結合するとともに、増速手段を介して前記モータの駆動軸の回転を揚水翼に伝えるような構成とすることで、洗濯物の負荷が回転翼にかかった場合でも駆動軸に直結し固定されていることで回転翼ががたついたり傾いたりすることが無く、安定して回転翼を回転させることができる。
【００３１】
（実施の形態２）
図６は、本実施の形態２おける回転翼部を示す部分的な縦断面図を現している。図中、２３は回転翼４上に配設されたバッフル、２４は循環水路を形成するために洗濯兼脱水槽の内面に配設された揚水路カバーを表している。他の数字が表すものは既に図示したものと同一の内容のものである。本実施の形態における作用を以下に示す。
【００３２】
洗濯する衣類が多くなると、洗濯兼脱水槽２や揚水路カバー２４に押し付けられながら接触することとなる。その接触による抵抗や、回転翼４の中心部から離れることによって動きにくくなった洗濯兼脱水槽２の内壁近傍の衣類を、洗濯兼脱水槽２の内壁の一部として形成した回転翼４の回転速度より速く回転する揚水翼８の外縁部に設けられ、凸型構造体２１が突出部１８の回転翼４側に配設されることで、衣類攪拌時の部分的な回転遅れや衣類どうしの動きの差を小さくすることができ、衣類同士のからみや伸び・ねじれといった現象が軽減され洗濯の仕上がりに優れた洗濯機とすることができる。また、揚水翼５が回転翼４よりも増速手段３０によって速い回転速度をもつことで、下羽根１９の回転による循環水量を回転翼４の回転数が低い場合でも増やすことができるため、洗濯物を傷めずに洗浄液を早く均一に洗濯物に吐出することが可能となり洗浄性能に優れた洗濯機とすることができる。
【産業上の利用可能性】
【００３３】
以上述べた通り、本発明の洗濯機は、洗濯物の量が増加し洗濯物が洗濯兼脱水槽全体に充満した場合においても、洗濯兼脱水槽と接触した外縁部の衣類を増速手段によって回転翼よりも回転速度が速くなった揚水翼の一部分によって、積極的に動かし、洗濯兼脱水槽の中心部と外縁部に存在する洗濯物の回転速度差を低減することで、衣類のからみやねじれの少ない仕上がりの優れた洗濯をすることが可能となるので、家庭用の洗濯機のみならず業務用の洗濯機など幅広い用途に適用できる。
【図面の簡単な説明】
【００３４】
【図１】本発明の実施の形態１における洗濯機の概略縦断面図
【図２】（ａ）本発明の実施の形態１おける回転翼部を示す拡大縦断面図（ｂ）本発明の実施の形態１おける回転翼部を示す上面図
【図３】本発明の実施の形態１における増速手段３０のＡ−Ａ断面図
【図４】（ａ）本発明の実施の形態１における回転翼部の別構成案を示す部分縦断面図（ｂ）本発明の実施の形態１における回転翼部の別構成案を示す部分縦断面図
【図５】（ａ）本発明の実施の形態１における回転翼部の別構成案を示す部分縦断面図（ｂ）本発明の実施の形態１における回転翼部の別構成案を示す部分縦断面図
【図６】本発明の実施の形態２における回転翼部を示す部分縦断面図
【図７】従来の洗濯機側面の概略縦断面図
【符号の説明】
【００３５】
１  水受け槽
２  洗濯兼脱水槽
３  回転バランサ
４  回転翼
５  揚水翼
６  太陽歯車
７  遊星歯車
８  外輪歯車
９  駆動軸
１０  減速手段
１１  モータ駆動軸
１２  駆動モータ
１３  揚水路
１４  入水口
１５  吐出口
１６  吸水口
１７  洗濯物
１８  突出部
１９  下羽根
２０  軸受け部
２１  凸型構造体
２２  球状突起物
２３  バッフル
２４  揚水路カバー
【図１】
2010094248.tif 000003
【図２】
2010094248.tif 000004
【図３】
2010094248.tif 000005
【図４】
2010094248.tif 000006
【図５】
2010094248.tif 000007
【図６】
2010094248.tif 000008
【図７】
2010094248.tif 000009